(57)【要約】      （修正有）【課題】水生動物の生体が発する生体信号を水中において測定するために用いられる水生動物用無線生体信号測定装置を提供する。【解決手段】水生動物の生体信号の測定を行う装置であって、水生動物に取り付けられる電極１１と、生体動物に取り付けられ、電極１１を介して受け付けた生体信号を無線により送信する送信機１２とを備えることで、水中において水生生物の生体信号を測定できるようにした。【選択図】図１
0003183625.tif 000002
【実用新案登録請求の範囲】
【請求項１】
水生動物の生体信号の測定を行う装置であって、
水生動物に取り付けられる電極と、
水生動物に取り付けられ、前記電極を介して受け付けた生体信号を無線により送信する送信機とを備えた水生動物用無線生体信号測定装置。
【請求項２】
前記送信機は、水生動物への取り付けに用いられる取付部を有している請求項１記載の水生動物用無線生体信号測定装置。
【請求項３】
前記水生動物は鱗を有する魚であり、
前記取付部は、前記送信機の水生動物に対向する面の辺縁に設けられた２以上の環状部材であり、
前記送信機は、前記環状部材の環内を通る線状部材により、前記水生動物の鱗を剥がした部分に縫い付けられる請求項２記載の水生動物用無線生体信号測定装置。
【請求項４】
請求項１記載の水生動物用無線生体信号測定装置と、生体信号受信装置とを備えた測定システムであって、
前記生体信号受信装置は、
前記水生動物用無線生体信号測定装置が無線で送信する生体信号を受信する受信部と、
前記受信部が受信した生体信号を出力する出力部とを備えた測定システム。
【考案の詳細な説明】
【技術分野】
【０００１】
本考案は、水生動物の生体信号を測定する装置等に関するものである。
【背景技術】
【０００２】
従来、生体内に、測定装置本体に接続されたセンサーやカテーテル等を挿入し、これらのセンサーやカテーテルを介して得られる情報を、測定装置本体において測定するものがあった（例えば、特許文献１参照）。
【先行技術文献】
【特許文献】
【０００３】
【特許文献１】特表２００５−５１１１１１号公報（第１５−１８頁、第１４−１９図等）
【考案の概要】
【考案が解決しようとする課題】
【０００４】
しかしながら、従来の技術においては、水中において水生動物の生体信号を適切に測定することができない、という課題があった。例えば、従来は、測定装置本体に有線接続したセンサーやカテーテル等を、水生動物の生体内に取り付けておく必要があった。このため、例えば、測定対象となる水生動物の自由な動きが、センサーやカテーテル等を測定装置と接続する信号線等によって阻害されてしまい、水生動物に大きなストレスがかかることとなるため、生体信号を正常に測定することができない恐れがあった。また、センサーやカテーテル等と測定装置とを接続する信号線が水生動物に接触することによって、測定される生体信号にノイズが発生するという問題があった。
【０００５】
本考案は、このような課題を解消するためになされたものであり、水生動物の生体信号を適切に測定できる装置およびシステムを提供することを目的とするものである。
【課題を解決するための手段】
【０００６】
本考案の水生動物用無線生体信号測定装置は、水生動物の生体信号の測定を行う装置であって、水生動物に取り付けられる電極と、水生動物に取り付けられ、電極を介して受け付けた生体信号を無線により送信する送信機とを備えた水生動物用無線生体信号測定装置である。
【０００７】
かかる構成により、信号線等が不要となるため、信号線によるストレスや、信号線と水生動物との接触等により発生するノイズ等の影響を減らすことができ、水中において水生動物の生体信号を適切に測定することができる。
【０００８】
また、本考案の水生動物用無線生体信号測定装置は、前記水生動物用無線生体信号測定装置において、送信機は、水生動物への取り付けに用いられる取付部を有している水生動物用無線生体信号測定装置である。
【０００９】
かかる構成により、水生動物に適切に水生動物用無線生体信号測定装置を取り付けることができ、水生生物の生体信号を適切に測定することができる。
【００１０】
また、本考案の水生動物用無線生体信号測定装置は、前記水生動物用無線生体信号測定装置において、取付部は、送信機の水生動物に対向する面の辺縁に設けられた２以上の環状部材であり、例えば、水生動物が鱗を有する魚である場合に、送信機は、環状部材の環内を通る線状部材により、水生動物の鱗を剥がした部分に縫い付けられる水生動物用無線生体信号測定装置である。
【００１１】
かかる構成により、水生生物に水生動物用無線生体信号測定装置を確実に取り付けることができ，安定した測定が可能となる。
【００１２】
また、本考案の測定システムは、前記水生動物用無線生体信号測定装置において、水生動物用無線生体信号測定装置と、生体信号受信装置とを備えた測定システムであって、生体信号受信装置は、水生動物用無線生体信号測定装置が無線で送信する生体信号を受信する受信部と、受信部が受信した生体信号を出力する出力部とを備えた測定システムである。
【００１３】
かかる構成により、水生動物の生体信号を適切に測定することができる。
【考案の効果】
【００１４】
本考案による水生動物用無線生体信号測定装置等によれば、水中において水生動物の生体信号を適切に測定することができる。
【図面の簡単な説明】
【００１５】
【図１】本発明の実施の形態の水生動物用無線生体信号測定装置の斜視図（図１（ａ））、平面図（図１（ｂ））、及び同測定システムの概略図（図１（ｃ））
【図２】同測定システムのブロック図
【図３】同水生動物用無線生体信号測定装置を取り付けた状態を示す図（図３（ａ））、同水生動物用無線生体信号測定装置の送信機の取り付け部分の拡大図（図３（ｂ））、及び、取り付けた状態の断層撮影図（図３（ｃ））
【図４】同水生動物用無線生体信号測定装置で測定した脳波の一例を示す図（図４（ａ））、測定した脳波をフーリエ変換した図（図４（ｂ））、有線接続した脳波計で測定した脳波の一例を示す図（図４（ｃ））、および測定した脳波をフーリエ変換した図（図４（ｄ））
【考案を実施するための形態】
【００１６】
以下、水生動物用無線生体信号測定装置等の実施形態について図面を参照して説明する。なお、実施の形態において同じ符号を付した構成要素は同様の動作を行うので、再度の説明を省略する場合がある。
【００１７】
（実施の形態）
図１（ａ）は、本実施の形態における水生動物用無線生体信号測定装置１の斜視図であり、図１（ｂ）は、水生動物用無線生体信号測定装置１の送信機１２の平面図であり、図１（ｃ）は、本実施の形態における水生動物用無線生体信号測定装置１を備えた測定システム１０００の概略図である。
【００１８】
測定システム１０００は、水生動物用無線生体信号測定装置１と、生体信号受信装置２とを備えている。
【００１９】
水生動物用無線生体信号測定装置１は、電極１１および送信機１２を備える。電極１１および送信機１２は、ここでは、信号線１３を介して接続されている。信号線１３は、例えば、防水性を有する材質で被覆されている。ただし、電極１１が送信機１２に直接接続されているようにしても良い。
【００２０】
生体信号受信装置２は、受信用アンテナ２１と受信機２２とを備えている。
【００２１】
水生動物用無線生体信号測定装置１は、水中において、水生動物の生体信号の測定を行う装置である。ここでの水中とは、水生動物が生存可能な液体の中を意味する。ここでの液体は、通常、淡水や海水や、これらと同じもしくは類似した成分の水溶液である。ただし、不純物や薬品等を更に含んでいてもよい。
【００２２】
水生動物とは、水中に生息する動物である。水生動物とは、例えば、魚類、水生哺乳類、貝類等である。また、エビや蟹などの水中に生息する甲殻類も水生動物と考えても良い。魚類とは、脊椎動物魚類上綱に属する動物の総称である。水生動物は、通常、海水または淡水に生息する。いわゆる魚介類も水生動物と考えても良い。生体信号の測定対象となる水生動物は、例えば、養殖が可能な水生動物である。
【００２３】
生体信号とは、水生動物が発する電気的な信号である。水生動物用無線生体信号測定装置１が測定する生体信号は、例えば、水生動物の脳波や、筋電位、心電位、角膜網膜電位、視覚誘発電位（ＶＥＰ）である。角膜網膜電位とは、角膜と網膜との電位であり、この電位を用いることで、目の動き、即ち、眼振を測定することが可能となる。
【００２４】
電極１１は、生体信号の測定対象となる水生動物に取り付けられて用いられる電極である。電極１１は、水生動物の生体から出力される生体信号を受け付ける。電極１１は、通常、水生動物に直接接触するよう取り付けられる。電極１１は、例えば、水生動物の生体信号の測定箇所に取り付けられる。電極１１は、例えば、生体の測定箇所に挿入、あるいは添付される。一の水生動物用無線生体信号測定装置１は、通常は、２以上の電極１１で構成される電極対を１以上有している。一の電極対は、通常は、一の生体信号の取得に用いられる複数の電極１１で構成される。一の電極対は、例えば、一の箇所から一の生体信号を測定する際に用いられる。ここでは、水生動物用無線生体信号測定装置１が二つの電極１１を備えている場合を例に挙げて説明する。電極１１の形状は問わないが、電極１１を水生動物の生体内に挿入して生体信号を測定する場合、電極１１の先端は、図１に示すように針状であることが好ましい。また、電極１１の少なくとも先端には、電極１１の水生動物からの抜け落ちを防ぐための、かえしや鋸歯状の形状を有していることが好ましい。電極１１は、導電性を有する材質であれば、どのような材質であっても良い。ただし、電極１１は、耐腐食性に優れた材質であることが好ましい。ここでは、電極１１の材質が銀である場合の例について説明する。なお、信号線１３の被覆されていない端部を、電極１１と考えても良い。
【００２５】
例えば、生体信号である脳波を測定する場合、電極１１は、脳の近傍に取り付けられる。なお、脳と水生動物の表面との間に、頭蓋骨等の骨が存在する場合、骨が測定感度を下げる要因となることから、骨にドリル等で貫通孔を開けて、この貫通孔を通して電極１１を脳の近傍に配置することが好ましい。かかることは、他の生体信号を、それぞれの測定箇所で測定する際に関しても同様である。
【００２６】
なお、電極１１は、信号線１３に対して着脱可能なものであっても良い。
【００２７】
送信機１２は、電極１１を介して受け付けた水生動物の生体信号を無線により送信する。送信機１２は、例えば、生体信号を生体信号受信装置２に送信する。送信機１２の内部の構成については後述する。
【００２８】
送信機１２は、生体信号の測定対象となる水生動物に取り付けられて用いられる。ここでの取り付けとは、例えば、水生動物の生体に固定することである。例えば、水生動物が動いても、送信機１２の位置がずれないように取り付けることである。例えば、送信機１２は、水生動物に直接取り付けられる。送信機１２は、ゲル等の粘性を有する物質やクッション、ゴム等の弾性を有する物質等を介して水生動物に取り付けられても良い。
【００２９】
送信機１２の水生動物への取り付け方は問わない。例えば、送信機１２は、接着剤等で接着しても良いし、粘着テープ等で送信機１２を貼り付けても良い。また、送信機１２が、水生動物への取り付けに用いられる取付部を有しているようにし、この取付部を用いて、送信機１２を水生動物に取り付けるようにしても良い。
【００３０】
取付部は、例えば、送信機１２の取り付け面に設けられた図示しない１または２以上の留め針である。この場合、取付部である留め針を水生動物の表面に刺すことで、送信機１２を水生動物に取り付けても良い。この場合の留め針は、水中で、送信機１２が水生動物から外れないよう、かえしや鋸歯やらせん等の形状を有しているようにすることが好ましい。なお、この実施の形態においては、図１に示すように、取付部が、送信機１２の取り付け面の辺縁に設けられた２以上の環状部材１２ｂで構成され、送信機１２は、環状部材１２ｂの環内を通る糸やテグス等の線状部材により、水生動物の鱗を剥がした部分に縫い付けられる場合について説明する。送信機１２の取り付け面とは、送信機１２の、送信機１２を水生動物に取り付ける際に、水生動物に対向する面や、水生動物側に位置する面である。なお、ここでは、図１に示すように、送信機１２が取付部として三つの環状部材１２ｂを略等間隔で有している場合の例について説明する。なお、送信機１２の取り付け方の具体例については後述する。
【００３１】
送信機１２は、外部の環境に対して密封された容器１２ａで覆われている。また、容器１２ａの内部から外部に延びる信号線１３と容器１２ａの間は、隙間が生じないように密着されている。なお、信号線１３の代わりに、容器１２ａの内部から外部に伸びる電極１１を用いる場合も同様に、隙間がないように密着させる。容器１２ａ内は、真空であってもよいし、空気や不活性ガス等の気体が充填されていてもよい。
【００３２】
容器１２ａの少なくとも表面側の材質は、耐水性や耐蝕性に優れた材質であることが好ましい。また、容器１２ａの材質は、生体信号等の信号の送受信を妨げない材料であることが好ましい。容器１２ａの材質は、衝撃等で、破損しにくい材質であることが好ましい。例えば、容器１２ａの外装の材質としては、プラスチックや、セラミックス等が好適である。プラスチックとしては、例えばポリウレタンやポリスチレン等の医療用等に利用されるポリマーが好適である。
【００３３】
また、容器１２ａの、水生動物に取り付ける面は、例えば、水生動物の表面に合わせて変形可能な柔軟性のある材質であることが好ましい。あるいは、容器１２ａの水生動物に取り付ける面は、例えば、水生動物の表面に合わせた形状、例えば、湾曲した形状としてもよい。また、容器１２ａの水生動物に取り付ける面が、シリコン等のゲルなどの粘性を有する物質や、スポンジやゴム等の弾性を有する物質を有するようにしても良い。このようにすることで、容器１２ａを取り付けた場合の水生動物と送信機１２との間の隙間が減り、水生動物が水中を移動する際の負担を低減することができる。
【００３４】
送信機１２の形状は問わないが、厚さが薄い形状であるほうが、水中において水生動物が移動する際に、抵抗が少なく、水生動物にストレス等を与えにくいことから好ましい。送信機１２は、水生動物に取り付けられるため、小型軽量であることが好ましい。このため、例えば、送信機１２内の回路は集積回路で構成されていることが好ましい。
【００３５】
送信機１２の比重は、水生動物にストレスを与えないようにするために、水生動物の存在している液体（例えば、淡水や、海水等）と同じ比重とすることが好ましい。
【００３６】
受信用アンテナ２１は、生体信号の受信に用いられるアンテナである。図１（ｃ）においては、受信用アンテナ２１がループアンテナである場合の例について示しているが、受信用アンテナ２１の構造や形状、材質等は問わない。図１（ｃ）においては、一例として、水生動物用無線生体信号測定装置１が取り付けられた魚３０が、水槽３１に入れられており、生体信号受信装置２の受信用アンテナ２１は、水生動物用無線生体信号測定装置１が送信する脳波を受信するために、魚３０の側面に沿って、水槽３１の横に配置されている場合を示している。
【００３７】
受信機２２は、受信用アンテナ２１と接続されており、水生動物用無線生体信号測定装置１が無線で送信する生体信号を、受信用アンテナ２１を介して受信する。受信部２２は受信した生体信号を出力する。
【００３８】
図２は、本実施の形態における水生動物用無線生体信号測定装置１を備えた測定システム１０００のブロック図である。図において、図１および図２と同一符号は同一または相当する部分を示す。
【００３９】
送信機１２は、受付部１２１、送信部１２２、送信用アンテナ１２３を備える。
【００４０】
受信機２２は、受信部２２１、フィルタ部２２２、及び出力部２２３を備える。
【００４１】
受付部１２１は、電極１１と接続されており、電極１１を介して生体信号を受け付ける。受付部１２１が受け付ける生体信号は、アナログの生体信号である。受付部１２１は、電極１１と直接接続されていても良いし、信号線１３を介して接続されていても良い。受付部１２１は、容器１２ａ内に配置されている。なお、ここでは電極１１が二つである場合を例に挙げて図示しているが、電極１１は、３以上であっても良い。
【００４２】
送信部１２２は、受付部１２１が受け付けた生体信号を無線により送信する。具体的には、送信部１２２は、送信用アンテナ１２３と接続されており、受付部１２１が受け付けた生体信号を、送信用アンテナ１２３を介して無線により送信する。送信部１２２は、容器１２ａ内に配置されている。生体信号の送信先は、例えば、生体信号受信装置２である。
【００４３】
送信部１２２は、増幅や、変調、フィルタリング等の予め指定された処理を行った生体信号を送信しても良く、ここでは、このような場合も、受付部１２１が受け付けた生体信号を送信することと考える。送信部１２２が行う変調は、例えばパルス幅変調等である。また、送信部１２２は、受付部１２１が受け付けた生体信号をデジタル化して送信しても良いし、アナログの生体信号を送信しても良い。デジタル化して送信する場合、送信部１２２は、アナログである生体信号をデジタル信号に変換するための処理手段や回路（例えば、アナログ・デジタルコンバータ等の変換回路）等を有していても良い。また、送信部１２２は、上記の増幅等の予め指定された処理をデジタル処理で行うようにしても良い。
【００４４】
送信部１２２が、生体信号を送信する際に利用する搬送波の周波数や、通信規格等は問わない。送信部１２２は、例えば、生体信号をデジタル化して送信する場合、Ｂｌｕｅｔｏｏｔｈ（登録商標）等で生体信号を送信しても良い。なお、送信部１２２は、水中から生体信号を送信するため、搬送波の周波数は、５３１〜１６２０ＫＨｚの中波（Ｍｅｄｉｕｍ  ｗａｖｅ）を用いることが好適である。
【００４５】
送信用アンテナ１２３は、生体信号の送信に用いられるアンテナである。送信用アンテナの構造や形状、材質等は問わない。例えば、送信用アンテナ１２３は、メッシュ状や線状のアンテナである。例えば、メッシュ状や線状の送信用アンテナ１２３を、容器１２ａの内面、好ましくは、容器１２ａの取り付け面とは逆側の内面に沿って配置する。また、メッシュや線状の送信用アンテナ１２３を、容器１２ａ内に埋め込むようにしても良い。
【００４６】
なお、送信機１２は、通常、受付部１２１や送信部１２２等に電力を供給するためのバッテリー（図示せず）を備えている。バッテリーは、容器１２ａ内に配置される。バッテリーは、ボタン型電池やコイン型電池等の小型の電池であることが好ましい。バッテリーは、リチウムイオン電池や酸化銀電池等どのような電池であっても良い。バッテリーは、一次電池であっても二次電池であっても良い。バッテリーは、例えば非接触の状態で充電が可能なものであることが好ましい。
【００４７】
なお、送信機１２内の回路等の消費電力が十分に少ない場合、いわゆるパッシブ型のＲＦＩＤタグにおける受信した電波を利用して電源供給を行なう構成（図示せず）と同様の構成を、送信機１２内の構成に適用して、外部から送信される電波から電源を取り出して、送信機１２内の回路へ供給するようにしてもよい。なお、電波から電源を取り出すパッシブ型ＲＦＩＤタグの構成については、公知技術であるのでここでは説明を省略する。
【００４８】
生体信号受信装置２は、水生動物用無線生体信号測定装置１が無線により送信する生体信号を受信する。
【００４９】
受信部２２１は、水生動物用無線生体信号測定装置１が無線で送信する生体信号を受信する。具体的には、受信部２２１は、受信用アンテナ２１と接続されており、水生動物用無線生体信号測定装置１が無線により送信する生体信号を、受信用アンテナ２１を介して受信する。受信部２２１は、受信した生体信号に対して、復調や、デジタル・アナログ変換や、アナログ・デジタル変換等の予め指定された処理を行っても良い。例えば、受信部２２１は、これらの処理を行うための処理手段や回路等を有していても良い。
【００５０】
フィルタ部２２２は、受信部２２１が受信した生体信号に対して、予め指定されたフィルタ処理を行う。フィルタ部２２２が行うフィルタ処理は、例えば、受信部２２１が受信した生体信号から予め指定された周波数帯の生体信号だけを取り出す処理や、この取り出した生体信号を増幅する処理である。また、予め指定された周波数帯の生体信号だけを選択的に増幅する処理であっても良い。
【００５１】
例えば、フィルタ部２２２が生体信号に対して行うフィルタ処理の内容や、パラメータ等を変更することで、受信部２２１が受信した生体信号から、特定の種類や目的に応じた品質の良い生体信号を取得することが可能である。
【００５２】
例えば、水生動物用無線生体信号測定装置１が、魚の心電位を測定するために用いられる場合、受信部２２１が受信した生体信号から０．１Ｈｚ〜５０Ｈｚまでの周波数帯域を取り出して約１０００倍に増幅する処理を、フィルタ部２２２が行うことで、受信部２２１が受信した生体信号から、心電位を示す品質の良い生体信号を取得することができる。
【００５３】
また、例えば、水生動物用無線生体信号測定装置１が、魚の脳波を測定するために用いられる場合、受信部２２１が受信した生体信号から０．５Ｈｚ〜１００Ｈｚまでの周波数帯域を取り出して約１００００倍に増幅する処理を、フィルタ部２２２が行うことで、受信部２２１が受信した生体信号から、脳波を示す品質の良い生体信号を取得することができる。
【００５４】
また、例えば、水生動物用無線生体信号測定装置１が、魚の筋電位を測定するために用いられる場合、受信部２２１が受信した生体信号から１０Ｈｚ〜１ＫＨｚまでの周波数帯域を取り出して約１０００倍に増幅する処理を、フィルタ部２２２が行うことで、受信部２２１が受信した生体信号から、筋電位を示す品質の良い生体信号を取得することができる。
【００５５】
また、例えば、水生動物用無線生体信号測定装置１が、魚の角膜網膜電位を測定するために用いられる場合、受信部２２１が受信した生体信号から０．１Ｈｚ〜１０ＫＨｚまでの周波数帯域を取り出して約１００００倍に増幅する処理を、フィルタ部２２２が行うことで、受信部２２１が受信した生体信号から、角膜網膜電位を示す品質の良い生体信号を取得することができる。
【００５６】
なお、フィルタ部２２２が行うフィルタ処理は、どのようなフィルタ処理であっても良く、例えば、ノイズを除去するフィルタ処理等であっても良い。
【００５７】
フィルタ部２２２は、例えば、フィルタ回路や、フィルタ回路とアンプ回路との組合せ等で実現される。なお、フィルタ処理を行わない場合、フィルタ部２２２は省略して、受信部２２１が受信した生体信号を出力部２２３が出力するようにしても良い。
【００５８】
出力部２２３は、受信部２２１が受信した生体信号を出力する。ここでは、出力部２２３は、受信部２２１が受信して、フィルタ部２２２によりフィルタ処理された生体信号を出力する例について説明する。生体信号を出力するということは、生体信号を加工したデータや、その特徴等を示すデータ等を出力することであっても良い。出力部２２３は、例えば、出力する生体信号に対して、増幅や、アナログ・デジタル変換等の変換処理や、フーリエ変換等の予め指定された処理を行うようにし、処理結果を出力するようにしてもよい。また、出力部２２３は、生体信号を用いて、波形図等のグラフを生成し、このグラフを出力しても良く、このような出力も、ここでは、生体信号の出力と考えて良い。
【００５９】
ここでの出力とは、ディスプレイへの表示、プロジェクターを用いた投影、プリンタへの印刷、外部の装置への送信、記録媒体への蓄積、他の処理装置や他のプログラムなどへの処理結果の引渡しなどを含む概念である。
【００６０】
出力部２２３は、モニタやプリント等の出力デバイスを含むと考えても含まないと考えても良い。出力部２２３は、送信手段や、出力デバイスのドライバーソフトまたは、出力デバイスのドライバーソフトと出力デバイス等で実現され得る。
【００６１】
以下、水生動物用無線生体信号測定装置１の動作について説明する。受付部１２１は、電極１１を介して生体信号を受け付ける。送信部１２２は、受付部１２１が受け付けた生体信号に増幅や変調等を行い、送信用アンテナ１２３から送信する。受付部１２１および送信部１２２は、連続的に生体信号の受け付けや送信を行っても良いし、予め指定された一定または不定のタイミング毎に生体信号の受け付けや送信を繰り返し行っても良い。また、送信部１２２は、受付部１２１が受け付けた生体信号を、時系列に沿って図示しないメモリ等に一時記憶しておくようにし、予め指定されたいタイミングやトリガーに応じて、この一時記憶された生体信号を送信するようにしてもよい。
【００６２】
以下、生体信号受信装置２の動作について説明する。受信部２２１は、受信用アンテナ２１を介して、水生動物用無線生体信号測定装置１から送信される生体信号を受け付ける。フィルタ部２２２は、受信部２２１が受信した生体信号に対して、予め指定されたフィルタ処理を行う。出力部２２３は、フィルタ処理された生体信号を出力する。なお、受信部２２１は、生体信号を連続的に受信しても良いし、予め指定された一定または不定のタイミング毎に、あるいは予め指定されたトリガーに応じて生体信号を受信するようにしても良い。また、出力部２２３は、受信部２２１が受信した生体信号や、フィルタ部２２２が処理した生体信号を、時系列に沿って図示しないメモリ等に一時記憶しておくようにし、予め指定されたいタイミングやトリガーに応じて、この一時記憶された生体信号を出力するようにしてもよい。
【００６３】
以下、水生動物用無線生体信号測定装置１の水生動物への取り付け方等について、例を挙げて説明する。ここでは、水生動物が鱗を有する魚であり、魚の脳波を測定するために、図１に示した水生動物用無線生体信号測定装置１を取り付ける場合を例に挙げて説明する。
【００６４】
図３（ａ）は、魚に水生動物用無線生体信号測定装置１を取り付けた状態を示す図であり、図３（ｂ）は、取り付け部分の拡大図であり、図３（ｃ）は、電極１１の位置を示す魚の断層撮影画像の一例を示す図である。
【００６５】
まず、魚４０の脳の近傍に、頭頂部側から、脳に近い部分に達するまでドリル等で孔４１を開ける。例えば、電極１１を二つ用いる場合、孔４１を二つを開ける。
【００６６】
次に、送信機１２の取り付け位置を決定する。取り付け位置は、上記で開けた孔４１に電極１１を挿入した状態で送信機１２が配置可能な範囲内の位置であって、魚の動作に対する影響の少ない位置に決定する。魚の動作に影響に少ない位置とは、魚のひれやえら等に当たらない位置等である。取り付け位置は、例えば、魚の頭と、背びれとの間の位置等が好適である。
【００６７】
次に、決定した取り付け位置に送信機１２を配置した場合における３つの環状部材１２ｂのそれぞれの下部に位置する鱗を剥がす。例えば、ここでは、各環状部材１２ｂの下部の鱗を二枚以上剥がす。そして、各環状部材１２ｂと、その下部の鱗を剥がした部分１２ｃに露出した魚４０の表面とを、各環状部材１２ｂの環内を通る線状部材を用いて縫い付ける。ここでは、例えば、線状部材としてテグス１２ｄを用い、テグス１２ｄの先端に図示しない縫い針等を付けて、各環状部材１２ｂを、鱗を剥がした部分１２ｃに縫い付ける。縫い針としては、例えば、手術用の縫い針等が利用可能である。これにより、送信機１２は、図３（ｂ）に示すように、魚４０の表面に縫い付けられる。鱗を剥がしてから送信機１２を縫い付けることで、鱗が剥がれる際に、鱗とともに送信機１２が外れることを防ぐことができる。なお、取付部である三つの環状部材１２ｂを用いて、送信機１２を魚等の水中動物に三点で取り付けることで、送信機１２のがたつき等を抑えて、送信機１２を確実かつ強固に水中動物に取り付けることができるとともに、取り付け箇所が少ないことにより、肉体的な損傷等の水中動物に与える影響を最小限に抑えることができる。
【００６８】
電極１１を上記で開けた孔４１に挿入する。そして、挿入した電極１１と孔４１との隙間を、図示しない充填剤等で充填する。例えば、ここでは、シリコンゲルで充填する。これにより、魚への水生動物用無線生体信号測定装置１の取り付けが完了し、図３（ｃ）に示すように、電極１１が魚４０の脳４２の近傍に配置される。なお、信号線１３も、充填剤や接着剤等で、魚４０の表面に這わせた状態で固定することが好ましい。
【００６９】
なお、ここでは、ドリル等で孔を開けてから、送信機１２を取り付けたが、送信機を取り付けた後に孔をあけて電極１１を取り付けても良い。また、ドリル等で開けた孔に電極１１を取り付けた後に、送信機１２を取り付けるようにしてもよい。
【００７０】
なお、ここではドリル等で孔４１を開けて、電極１１を挿入するようにしたが、挿入先に骨等がない場合（例えば、挿入先が筋肉等である場合等）には、孔４１を開けずに、かえし等の抜け落ちを防止する機構を設けた電極１１を、魚４０に直接挿入するようにしても良い。例えば、注射針の針管（図示せず）もしくは同様の針状の管の管内に銀線等の線状の電極１１を挿入して、針先から出た部分を折り返しておく。そして、この電極１１が挿入された針管を、水生動物に刺したあと、針管だけを抜き取ることで、電極１１を水生動物の体内に挿入した状態で残すようにしても良い。この場合、電極１１の針先で折り返した部分がかえしとなって、電極１１の抜け落ちを防止することができる。なお、この場合、針管を抜くためには、電極１１と信号線１３とは、着脱可能な構造としておき、針管を電極から抜いた後に、電極１１を信号線１３に取り付けることが好ましい。ここでの電極１１と信号線１３との取り付けかたは問わない。例えば、テープ等で両者が接触されるよう取り付けても良い。
【００７１】
図４（ａ）は、測定システム１０００が出力する魚の脳波の一例を示す波形図であり、図４（ｂ）は、図４（ａ）に示した脳波をフーリエ変換した結果を示すグラフである。また、図４（ｃ）は、脳波計と有線接続した電極を魚の脳の近傍に挿入して測定した魚の脳波の出力の一例を示す波形図であり、図４（ｄ）は、図４（ｃ）に示した脳波をフーリエ変換した結果を示すグラフである。ここでは、魚を、水槽内で眠らせた状態で脳波の測定を行った。
【００７２】
図４（ｂ）、図４（ｄ）に示すように、本考案の測定システムを用いた測定結果においては、領域６１で示した周波数帯の成分が、有線接続した脳波計による測定結果である領域６２で示した同じ周波数帯の成分よりも低減されていることが分かる。この周波数帯は、脳波の周波数帯ではないことから、本考案の測定システムを用いることで、信号線等に魚が接触すること等によって発生するノイズや、交流ノイズを低減できることが分かる。
【００７３】
なお、上記においては、送信機１２を魚に取り付ける場合について説明したが、蟹やエビ等の水生の甲殻類の場合、送信機１２を甲羅に取り付けるようにしても良い。また、送信機１２は、水生動物の体内に埋め込むようにしても良い。
【００７４】
以上、本実施の形態によれば、測定対象となる水生動物が、信号線等で拘束されることがないため、ストレスの低い、より自然な状態での生体信号を取得することができる。また、信号線等が水生動物と接触することにより発生するノイズを抑えることができ、ノイズの少ない高品質な生体信号を取得することができる。これにより、水中において水生動物の生体信号を適切に測定することができるという効果を奏する。
【００７５】
また、信号線等の絡まりが発生しないため、装置の扱いが容易となるという効果を奏する。
【００７６】
また、短時間で装置を水生動物に取り付けることができるため、測定対象となる水生動物への処置の負担等を低減させることができる。
【００７７】
本考案は、以上の実施の形態に限定されることなく、種々の変更が可能であり、それらも本考案の範囲内に包含されるものであることは言うまでもない。
【産業上の利用可能性】
【００７８】
以上のように、本考案にかかる水生動物用無線生体信号測定装置等は、水生動物の生体信号を測定する装置等として適しており、特に、水中において水生動物の生体信号を測定する装置等として有用である。
【符号の説明】
【００７９】
１  水生動物用無線生体信号測定装置、２  生体信号受信装置、１１  電極、１２  送信機、２１  受信用アンテナ、２２  受信機、１２１  受付部、１２２  送信部、１２３  送信用アンテナ、２２１  受信部、２２２  フィルタ部、２２３  出力部、１０００  測定システム
【図１】
0003183625.tif 000003
【図２】
0003183625.tif 000004
【図４】
0003183625.tif 000005
【図３】
0003183625.tif 000006